(57)【特許請求の範囲】
【請求項１】
フレキシブル基板と、
前記フレキシブル基板の第１面に実装される複数の画素から形成される表示領域を有するディスプレイユニットと、
前記フレキシブル基板の前記第１面に形成され、一端が前記ディスプレイユニットに接続された２以上の導線を有する配線部と、
前記配線部の他端に形成され、外部の電子部品に接続される接続端子と、
を備え、
前記フレキシブル基板の前記配線部のベースとなる部分に、前記第１面の裏面となる第２面に対して開口を有する溝が、前記導線間にて前記導線が延在する延在方向に沿って形成され、
前記配線部は、前記第２面における前記ディスプレイユニットが形成されているディスプレイ形成領域に向かって屈曲されることを特徴とするデバイス装置。
【請求項２】
フレキシブル基板と、
前記フレキシブル基板の第１面に実装される複数の画素から形成される表示領域を有するディスプレイユニットと、
前記フレキシブル基板の前記第１面に形成され、一端が前記ディスプレイユニットに接続された２以上の導線を有する配線部と、
前記配線部の他端に形成され、外部の電子部品に接続される接続端子と、
を備え、
前記フレキシブル基板の前記配線部のベースとなる部分に、前記第１面から当該第１面の裏面となる第２面に対して貫通されたスリットが、前記導線間にて前記導線が延在する延在方向に沿って形成され、
前記配線部は、前記第２面における前記ディスプレイユニットが形成されているディスプレイ形成領域に向かって屈曲されることを特徴とするデバイス装置。
【請求項３】
前記電子部品が前記ディスプレイユニットを駆動する駆動回路であって、当該駆動回路が、前記フレキシブル基板上の前記ディスプレイユニットが形成されているディスプレイ形成領域における当該ディスプレイユニットが形成されている第１面の裏面となる第２面に実装されており、
前記ディスプレイユニットと接続されている前記配線部の接続部分が前記第２面に向かって屈折され、かつ、前記配線部が、前記ディスプレイ形成領域の第２面上に形成される、請求項１または２に記載のディスプレイ装置。
【請求項４】
前記電子部品が他の前記ディスプレイ装置であって、当該他のディスプレイ装置の前記配線部が、前記フレキシブル基板上の前記ディスプレイユニットが形成されているディスプレイ形成領域における当該ディスプレイユニットが形成されている第１面の裏面となる第２面に形成されており、
前記ディスプレイユニットと接続されている前記配線部の接続部分が前記第２面に向かって屈折され、かつ、前記配線部が、前記ディスプレイ形成領域の第２面上に形成されて前記他のディスプレイ装置の配線部と接続される、請求項１または２に記載のディスプレイ装置。
【発明の詳細な説明】
【技術分野】
【０００１】
本発明は、フレキシブル基板を用いたデバイス装置及びディスプレイ装置の技術に関する。
【背景技術】
【０００２】
近年、小型化に伴い、薄く、軽くかつ変形可能な柔軟性、すなわち、可撓性（フレキシブル性）のあるデバイス装置が注目されている。特に、最近では、このフレキシブル性を有するデバイス装置の一つとして、フレキシブル基板上に表示素子及びＴＦＴから形成されるディスプレイユニットと、当該ディスプレイユニットの周辺にディスプレイユニットを駆動する駆動回路と、を有するディスプレイ装置が知られている（例えば、特許文献１〜３）。
【０００３】
また、最近では、このようなフレキシブル性を有するディスプレイ装置においては、ディスプレイユニットが形成されたフレキシブル基板と一体的に形成された配線パターンを有する接続部を介して当該ディスプレイユニットと駆動回路とを接続するものが注目されている（例えば、特許文献４）。例えば、この特許文献４に記載のディスプレイ装置は、ディスプレイユニットが形成された部分だけでなく、配線などが形成された接続部分においても可撓性を有している。したがって、このディスプレイ装置は、ディスプレイユニットを駆動回路に接続するためのＦＰＣケーブルなど、製造後の後工程において配線を形成させる必要がなく、ディスプレイ装置としての構成を簡略化することができる。また、このディスプレイ装置は、例えば、ＦＰＣケーブルを熱圧着する際にディスプレイ装置に生ずる熱に基づく当該装置の特性劣化などのケーブルを後工程において形成する上で生じる不具合を防止することができるようになっている。
【先行技術文献】
【特許文献】
【０００４】
【特許文献１】特開２００４−６３９７５号公報
【特許文献２】特開２００６−２４７９０号公報
【特許文献３】特開２００６−１３３５７３号公報
【特許文献４】特開２００９−１９２８３５号公報
【発明の概要】
【発明が解決しようとする課題】
【０００５】
しかしながら、特許文献４に記載のディスプレイ装置にあっては、配線部分についても可撓性を有しているので、駆動回路と接続する際に配線部分を湾曲させることができるものの、複数のディスプレイ装置における表示領域を並設させてタイリングし、表示領域を大きくする場合など配線を所定の部分で１８０度に屈折させるような極度な湾曲に対しては、当該湾曲部分が損傷することも多い。すなわち、タイリングを行う場合には、接続部分も含めてディスプレイ装置における表示素子によって形成される表示領域以外を当該表示領域の裏面に隠しつつ、他のディスプレイ装置と接続する必要がある。そして、この場合に、配線部分の所定の場所、例えば、ディスプレイユニットと接続されている接続部部分の近傍で１８０度に湾曲させることが多い。したがって、この湾曲部分には、過大なストレス（応力）が生じ、その部分に発生する応力に耐えることができずに当該湾曲部分が損傷し、導線が切断されまたはショートされるなど当該導線が破損することも多い。
【０００６】
また、上記のタイリングに限らず、最近では、ディスプレイ装置などのデバイス装置が搭載される電子機器の小型化により、配線スペースまたは電子部品が配置されるスペースにデザイン上の制約が多く、デバイス装置と他の装置または電子部品を接続する場合に、上述のように、配線部分を所定の部分で湾曲させる場合も多い。したがって、このような場合に、湾曲部分に生じる応力に当該湾曲部分が耐えることができずに、導線が破損することが多く発生する。
【０００７】
本発明は、上記課題を解決するためになされたものであり、その目的は、湾曲部分に生ずる応力を分散させ、当該応力による損傷を防止することができる接続部分を有するデバイス装置及びディスプレイ装置を提供することにある。
【課題を解決するための手段】
【０００８】
（１）上記課題を解決するため、本発明のデバイス装置は、フレキシブル基板と、前記フレキシブル基板の第１面に実装されるデバイスユニットと、前記フレキシブル基板の前記第１面に形成され、一端が前記デバイスユニットに接続された１または２以上の導線を有する配線部と、前記配線部の他端に形成され、外部の電子部品に接続される接続端子と、を備え、前記フレキシブル基板の前記配線部のベースとなる部分に、前記第１面の裏面である第２面に対して開口を有する溝が形成されていることを特徴とする。
【０００９】
この発明によれば、外部の電子部品と接続するために、デザイン上の制約などにより、配線部を湾曲させた場合に、特に、配線部を所定の部分で極度に湾曲させなければならない場合に、当該湾曲により配線部に生じた応力を湾曲部分から分散させることができるので、応力に基づく配線部の損傷を防止することができる。
【００１０】
（２）また、本発明のデバイス装置は、前記溝が、前記導線が延在する延在方向に沿って形成されている。
【００１１】
この発明によれば、特に、導線が延在する方向に沿って湾曲させた場合に当該湾曲に対して耐性を有するとともに、当該湾曲により配線部に生じた応力を湾曲部分から分散させることができる。
【００１２】
（３）また、本発明のデバイス装置は、前記配線部が２以上の導線から形成されている場合に、前記溝が、前記導線間に形成されている。この発明によれば、配線部の各導線に対して影響を与えずに、湾曲により配線部に生じた応力を湾曲部分から分散させることができる。
【００１３】
（４）また、本発明のデバイス装置は、前記溝が、前記導線が延在する延在方向に直行する直行方向に沿って形成されている。
【００１４】
この発明によれば、特に、延在方向と直行する直行方向に沿って配線部を湾曲させた場合に、当該湾曲に対して耐性を有するとともに、当該湾曲により配線部に生じた応力を湾曲部分から分散させることができる。
【００１５】
（５）また、本発明のデバイス装置は、前記溝が、前記導線が延在する延在方向及び当該延在方向に直行する直行方向に対して所定の角度を有する傾斜方向に沿って形成されている。
【００１６】
この発明によれば、特に、導線が延在する延在方向及び当該延在方向に直行する直行方向に対して所定の角度を有する傾斜方向に沿って配線部を湾曲させた場合に当該湾曲に対して耐性を有するとともに、延在方向及び直行方向に配線部を湾曲させた場合であっても当該湾曲に対して耐性を有し、当該湾曲により配線部に生じた応力を湾曲部分から分散させることができる。
【００１７】
（６）上記課題を解決するため、本発明のデバイス装置は、フレキシブル基板と、前記フレキシブル基板の第１面に実装されるデバイスユニットと、前記フレキシブル基板の前記第１面に形成され、一端が前記デバイスユニットに接続された１または２以上の導線を有する配線部と、前記配線部の他端に形成され、外部の電子部品に接続される接続端子と、を備え、前記フレキシブル基板の前記配線部のベースとなる部分に、前記第１面から当該第１面の裏面となる第２面に対して貫通されたスリットが形成されていることを特徴とする。
【００１８】
この発明によれば、外部の電子部品と接続するために、配線部を湾曲させた場合に、特に、配線部を所定の部分で極度に湾曲させなければならない場合に、当該湾曲により配線部に生じた応力を湾曲部分から分散させることができるので、応力に基づく配線部の損傷を防止することができる。
【００１９】
（７）また、本発明のデバイス装置は、前記配線部が２以上の導線から形成されている場合に、前記スリットが、前記導線間に形成されている。この発明によれば、配線部の導線に対して影響を与えずに湾曲によって生ずる応力を分散することができる。
【００２０】
（８）上記課題を解決するため、本発明のディスプレイ装置は、フレキシブル基板と、前記フレキシブル基板の第１面に実装される複数の画素から形成される表示領域を有するディスプレイユニットと、前記フレキシブル基板の前記第１面に形成され、一端が前記ディスプレイユニットに接続された１または２以上の導線を有する配線部と、前記配線部の他端に形成され、外部の電子部品に接続される接続端子と、を備え、前記フレキシブル基板の前記配線部のベースとなる部分に、前記第１面の裏面となる第２面に対して開口を有する溝が形成されていることを特徴とする。
【００２１】
この発明によれば、外部の電子部品と接続するために、配線部を湾曲させた場合に、特に、配線部を所定の部分で極度に湾曲させなければならない場合に、当該湾曲により配線部に生じた応力を湾曲部分から分散させることができるので、応力に基づく配線部の損傷を防止することができる。
【００２２】
（９）上記課題を解決するため、本発明のディスプレイ装置は、フレキシブル基板と、前記フレキシブル基板の第１面に実装される複数の画素から形成される表示領域を有するディスプレイユニットと、前記フレキシブル基板の前記第１面に形成され、一端が前記ディスプレイユニットに接続された１または２以上の導線を有する配線部と、前記配線部の他端に形成され、外部の電子部品に接続される接続端子と、を備え、前記フレキシブル基板の前記配線部のベースとなる部分に、前記第１面から当該第１面の裏面となる第２面に対して貫通されたスリットが形成されていることを特徴とする。
【００２３】
この発明によれば、外部の電子部品と接続するために、配線部を所定の部分で極度に湾曲させなければならない場合であっても、当該湾曲により配線部に生じた応力を分散させることができるので、応力に基づく配線部の損傷を防止することができる。
【００２４】
（１０）また、本発明のディスプレイ装置は、前記電子部品が前記ディスプレイユニットを駆動する駆動回路であって、当該駆動回路が、前記フレキシブル基板上の前記ディスプレイユニットが形成されているディスプレイ形成領域における当該ディスプレイユニットが形成されている第１面の裏面となる第２面に実装されており、前記ディスプレイユニットと接続されている前記配線部の接続部分が前記第２面に向かって屈折され、かつ、前記配線部が、前記ディスプレイ形成領域の第２面上に形成される。
【００２５】
この発明によれば、駆動回路をディスプレイユニットにおける裏面に搭載してディスプレイ装置を小型化することができるとともに、配線部を所定の部分で極度に湾曲させなければならない場合に、例えば、配線部の延在方向を１８０度変更するなど当該配線部を屈折させなければならない場合に、当該屈折、すなわち、当該湾曲により配線部に生じた応力を湾曲部分から分散させることができるので、配線部が損傷することなく、ディスプレイユニットと駆動回路とを確実に接続することができる。
【００２６】
（１１）また、本発明のディスプレイ装置は、前記電子部品が他の前記ディスプレイ装置であって、当該他のディスプレイ装置の前記配線部が、前記フレキシブル基板上の前記ディスプレイユニットが形成されているディスプレイ形成領域における当該ディスプレイユニットが形成されている第１面の裏面となる第２面に形成されており、前記ディスプレイユニットと接続されている前記配線部の接続部分が前記第２面に向かって屈折され、かつ、前記配線部が、前記ディスプレイ形成領域の第２面上に形成されて前記他のディスプレイ装置の配線部と接続される。
【００２７】
この発明によれば、ディスプレイ装置を並設して大きな表示装置を形成される場合に、ディスプレイユニットの裏面において他のディスプレイ装置と接続し、配線部を所定の部分で極度に湾曲させなければならない場合であっても、例えば、配線部の延在方向を所定の部分で１８０度変更するなど当該配線部を屈折させなければならない場合であっても、配線部が損傷することなく、他のディスプレイ装置とを確実に接続することができるとともに、配線部によってディスプレイ領域における表示を妨害することなく、かつ、他のディスプレイ装置の表示領域との表示領域間のギャップを小さくし、視認性を向上させることできる。
【発明の効果】
【００２８】
本発明に係るデバイス装置及びディスプレイ装置は、外部の電子部品と接続するために、デザイン上の制約などにより、配線部を湾曲させた場合に、特に、配線部を所定の部分で極度に湾曲させなければならない場合に、当該湾曲により配線部に生じた応力を湾曲部分から分散させることができるので、応力に基づく配線部の損傷を防止することができる。
【図面の簡単な説明】
【００２９】
【図１】本発明に係るディスプレイ装置の一実施形態において、上面からの外観を示す平面図である。
【図２】図１における配線部の一部の拡大図であって、導線と溝との関係を示す例です。
【図３】一実施形態のディスプレイ装置において、駆動回路または他のディスプレイ装置との接続を説明するための図である。
【図４】一実施形態のディスプレイ装置において、配線部の接続形態を説明するための図である。
【発明を実施するための形態】
【００３０】
以下、本発明の各実施形態について、図面を参照しながら説明する。なお、以下に説明する実施形態は、フレキシブル基板上に形成されたディスプレイユニットを実装したディスプレイ装置に、本発明のデバイス装置及びディスプレイ装置を適用した場合の実施形態である。
【００３１】
＜ディスプレイ装置＞
まず、図１及び図２の各図を用いて本発明に係るディスプレイ装置１００の実施形態について説明する。なお、図１は、本実施形態のディスプレイ装置１００における上面からの外観を示す平面図であり、図２は、一実施形態における配線部１３０の一部の平面図であって、導線１３１と溝ＧまたはスリットＳとの関係を示す例である。
【００３２】
本実施形態のディスプレイ装置１００は、図１に示すように、フレキシブル基板１１０と、フレキシブル基板１１０上に形成されるディスプレイユニット１２０と、フレキシブル基板１１０上に形成された配線部１３０と、配線部１３０の端部に形成され、ディスプレイユニット１２０を駆動するための駆動回路２００または他のディスプレイ装置１００Ｄに接続される接続端子１４０と、から形成される。
【００３３】
フレキシブル基板１１０は、例えば、ＰＥＴ等のポリエステル系樹脂、ポリミド系樹脂、ステンレス（ＳＵＳ）製の薄膜合金などの可撓性を有する基板によって形成されている。また、フレキシブル基板１１０は、５０μｍ〜１００μｍの厚さを有している。なお、本実施形態のフレキシブル基板１１０は、可撓性を有する材料で形成されていれば、上記の材料に限定されない。
【００３４】
また、フレキシブル基板１１０は、ディスプレイユニット１２０が形成されるベース基材として用いられるとともに、ディスプレイユニット１２０と接続され、当該ディスプレイユニット１２０から延在される配線部１３０が形成されるベース基材としても用いられる。特に、フレキシブル基板１１０は、ディスプレイユニット１２０が形成される矩形の面形状を有しているとともに、当該面形状の部分（以下、「ディスプレイ形成部分」という。）と一体的に形成され、かつ、当該ディスプレイ形成部分の一部から突出された配線部１３０が形成された矩形の突出部分（以下、「配線形成部分」という。）を有している。なお、ディスプレイ形成部分は、ディスプレイユニット１２０の表示領域の面方向において当該ディスプレイユニット１２０より大きく、その一部分には配線部１３０が形成されている。
【００３５】
ディスプレイユニット１２０は、フレキシブル基板１１０のディスプレイ形成部分に形成されている。また、ディスプレイユニット１２０は、複数の画素から形成される表示領域を有し、画素毎に表示制御を行うことによってこの表示領域に所定の画像を表示する。例えば、ディスプレイユニット１２０は、表示領域を形成するための図示しない表示素子層及び当該表示素子層を画素毎に駆動させる図示しない薄膜トランジスタと、を有している。なお、ディスプレイユニット１２０は、フレキシブル基板１１０上に、平坦化層、ゲート絶縁膜及び層間絶縁膜など画像を表示するディスプレイユニット１２０として適切な部材を備えている。
【００３６】
一方、ディスプレイユニット１２０の各画素には、各画素を駆動させるためのデータ線及び走査線と必要な場合には電源電圧供給線が接続されている。そして、画素列毎または画素行毎のデータ線、走査線及び電源電圧供給線の各線が配線部１３０の各導線１３１と接続される。また、各導線１３１の他端は、フレキシブル基板１１０の配線形成部分の端部に形成された接続端子１４０に接続される。
【００３７】
配線部１３０は、フレキシブル基板１１０上であって、ディスプレイ形成部分のディスプレイユニット１２０が形成されていない部分と、配線形成部分とに、厚さ５０ｎｍ〜２００ｎｍ程度の真空製膜された銅、クロム、アルミ、金、銀等の金属膜または１０μｍ〜５０μｍ程度の薄い銅箔などによって形成された配線パターンを有している。例えば、この配線パターンは、ディスプレイユニット１２０の各画素を駆動させるためのデータ線、走査線または電源電圧供給線と接続されており、複数の導線１３１によって形成されている。また、各導線１３１は、ショートまたはクロストークを防止するために隣接する他の導線１３１とは所定の距離離隔して形成されている。例えば、各導線１３１は、５０μｍの幅を有し、隣接する他の導線１３１と最低１００μｍ以上離隔されて形成されている。
【００３８】
配線部１３０には、図１（ｂ）に示すように、レーザ光によって形成された複数のスリットＳを有している。例えば、スリットＳは、導線１３１が延在する延在方向に沿って各導線１３１間に形成されている。各スリットＳは、導線１３１が形成されている形成面（以下、「第１面」ともいう。）から当該形成面の裏面（以下、「第２面ともいう」。）に貫通する切り込みであり、配線部１３０を湾曲させた場合に、当該湾曲によって生じた応力を湾曲された部分から分散させるためのものである。特に、各スリットＳは、導線１３１が延在する延在方向に沿って形成されている。
【００３９】
なお、図１（ｂ）は、図１（ａ）のディスプレイ装置１００における上面からの平面図において、配線部１３０の一部を拡大した拡大図である。また、このスリットＳは、レーザ光によって形成されるが、簡易に形成可能であれば、レーザ光に限られない。また、各スリットＳは、断線、アライメントずれ、フレキシブル基板１００の変形など、各導線１３１に影響を与えないために、２０μｍ以上各導線１３１から離隔して形成される。さらに、本実施形態においては、スリットＳは、配線部１３０全体、すなわち、フレキシブル基板１１０におけるディスプレイ形成部分及び配線形成部の全体に形成されていてもよいし、配線形成部など応力が生じる領域に部分的に設けてもよい。
【００４０】
また、本実施形態においては、上記のスリットＳに代えてフレキシブル基板１１０の裏面に対して開口している溝Ｇを配線部１３０に設けてもよい。特に、各溝Ｇは、導線１３１間の導線１３１が形成されていない部分の他に、当該導線１３１が形成されている部分にも形成することができるので、導線１３１が形成された部分のフレキシブル基板１１０上に生じた応力も分散させることができるようになっている。この場合には、スリットＳと同様に、複数の溝Ｇが、導線１３１が延在する延在方向に沿って各導線１３１間に形成されており、配線部１３０が湾曲した場合に当該湾曲によって生じた応力を湾曲部分から分散させるようになっている。また、各溝Ｇは、導線１３１が形成されている形成面の裏面に向けて開口を有しているため、ディスプレイユニット１２０の上面からは、すなわち、フレキシブル基板１１０の形成面からは、視認することはできない。そして、各溝Ｇは、応力を的確に分散させるために、フレキシブル基板１１０の厚さにおいて、その厚さの２０％以上の深さを有している。ただし、導線１３１が形成されている部分は、フレキシブル基板１１０において、断線、アライメントずれ、フレキシブル基板１００の変形など、導線１３１に影響がない範囲で溝Ｇの最深部から導線１３１までの所定の厚さ（２０μｍ程度）を確保する必要がある。
【００４１】
なお、各溝Ｇは、導線１３１が延在する延在方向に沿って形成されている点に代えて、または、その点に加えて、図２に示すように、導線１３１が延在する延在方向と直行する直行方向または延在方向及び直行方向に対して所定の角度を有する傾斜方向に沿って形成されてもよい。図２（ａ）に示すように、各溝Ｇが、導線１３１が延在する延在方向と直行する直行方向に形成されている場合には、特に、配線部１３０を直行方向に沿って湾曲させた場合に当該湾曲に対して耐性を有する。また、図２（ｂ）に示すように、各溝Ｇが、延在方向に沿って形成され、かつ、延在方向と直行する直行方向に形成されている場合には、特に、配線部１３０を延在方向及び直行方向に沿って湾曲させた場合に当該湾曲に対して耐性を有する。さらに、図２（ｃ）に示すように、各溝Ｇが、延在方向及び直行方向に対して所定の角度を有する傾斜方向に沿って形成されている場合には、すなわち、×印のように形成されている場合には、配線部１３０を傾斜方向に沿って湾曲させた場合に当該湾曲に対して耐性を有するとともに、延在方向及び直行方向に沿って湾曲させた場合であっても、その湾曲に対しても耐性を有する。
【００４２】
接続端子１４０は、駆動回路２００または他のディスプレイ装置１００Ｄなどのディスプレイ装置１００が接続される相手先の電子部品のコネクタによって定まる形状を有し、導線１３１の形成面または当該形成面とその裏面にパッド電極を有している。なお、裏面にパッド電極が形成される場合には、形成面と裏面は、スルーホールによって接続される。なお、接続端子１４０に補強部材を設け、当該接続端子１４０における電子部品との着脱に対する剛性（強度）を上げてもよい。ただし、フレキシブル基板１１０がステンレスで形成されている場合には、ステンレス自体の剛性があるため、補強部材は不要である。
【００４３】
また、例えば、接続端子１４０は、接続の位置合わせをスムーズに行うために、平面上パッド電極とは異なる部分であって両端部に接続端子１４０の形成面から突起した突起部１４１を有している。なお、この突起部１４１に代えて、接続端子１４０の形成面に形成されたリングが形成されていてもよい。
【００４４】
＜接続態様＞
次に、図３及び図４を用いて本実施形態のディスプレイ装置１００における接続態様について説明する。なお、図３は、本実施形態のディスプレイ装置１００において、駆動回路２００または他のディスプレイ装置１００Ｄとの接続を説明するための図であり、図４は、本実施形態のディスプレイ装置１００において、配線部１３０の接続形態を説明するための図である。
【００４５】
本実施形態のディスプレイ装置１００においては、図３（ａ）に示すように、フレキシブル基板１１０のディスプレイ形成部分の第２面であって、すなわち、フレキシブル基板１１０におけるディスプレイユニット１２０が形成されている形成面の裏面であって、ディスプレイ形成部分にディスプレイユニット１２０を駆動する駆動回路２００を実装する場合に、配線部１３０は、ディスプレイユニット１２０から接続された部分から裏面に対して１８０度に屈折され、接続端子１４０を介して駆動回路２００に接続される。言い換えれば、配線部１３０においては、一端がディスプレイユニット１２０と接続されており、このディスプレイユニット１２０と接続される接続部分を除き、ディスプレイ形成領域の裏面上に形成されるように、この接続部分の近傍から裏面に向かって極度に湾曲され、他端が駆動回路２００に接続端子１４０を介して接続される。なお、接続端子１４０は、駆動回路２００の所定の場所に装着される。
【００４６】
そして、本実施形態のディスプレイ装置１００においては、配線部１３０に上述のようなスリットＳまたは溝Ｇが形成されているので、配線部１３０を所定の部分、すなわち、図３（ａ）に示すように、配線部１３０におけるディスプレイユニット１２０に接続された接続部分の近傍で１８０度に屈折された部分に形成された各導線１３１に損傷を与えることなく、ディスプレイユニット１２０と駆動回路２００とを確実に接続することができるようになっている。
【００４７】
一方、本実施形態のディスプレイ装置１００においては、図３（ｂ）に示すように、他のディスプレイ装置１００Ｄとタイリングされる場合には、フレキシブル基板１１０のディスプレイ形成部分の第２面で、すなわち、フレキシブル基板１１０におけるディスプレイユニット１２０が形成されている形成面の裏面で他のディスプレイ装置１００Ｄの配線部１３０Ｄと接続される。また、配線部１３０は、ディスプレイユニット１２０から接続された部分から裏面に対して１８０度に屈折され、接続端子１４０を介して他のディスプレイ装置１００Ｄの配線部１３０Ｄと接続される。言い換えれば、配線部１３０は、一端がディスプレイユニット１２０と接続されており、このディスプレイユニット１２０と接続される接続部分を除き、ディスプレイ形成領域の裏面上に形成されるように、この接続部分の近傍から裏面に向かって極度に湾曲され、例えば、図４（ａ）に示すように、他端が他のディスプレイ装置１００Ｄの配線部１３０Ｄに接続端子１４０を介して接続される。
【００４８】
そして、本実施形態のディスプレイ装置１００においては、配線部１３０に上述のようなスリットＳまたは溝Ｇが形成されているので、配線部１３０が所定の部分で１８０度に屈折した場合であっても、配線部１３０に形成された各導線１３１に損傷を与えることなく、ディスプレイユニット１２０と他のディスプレイ装置１００Ｄを確実に接続することができるようになっている。また、配線部１３０は、ディスプレイユニット１２０との接続部分を除き、裏面に屈折されるので、ディスプレイユニット１２０と他のディスプレイ装置１００Ｄのディスプレイユニット１２０との表示領域間の離間距離、すなわち、ギャップを小さくすることできるようになっている。したがって、単一のディスプレイ装置１００では表示不可能な大きな画像についても、他のディスプレイ装置１００Ｄと連動することによって表示可能となり、かつ、他のディスプレイ装置１００Ｄとの表示領域間のギャップも小さくすることができるので、配線部１３０によってディスプレイ領域における表示を妨害することなく、視認性を向上させることができるようになっている。
【００４９】
なお、図３（ｂ）においては、左右にディスプレイ装置１００がタイリングされた場合の裏面における平面図であるが、図４（ｂ）は、上下にディスプレイ装置１００がタイリングされた場合の裏面における平面図である。
【００５０】
＜作用効果＞
以上本実施形態のディスプレイ装置１００は、駆動回路２００または他のディスプレイユニット１２０Ｄなど、外部の電子部品と接続するために、所定の部分で１８０度に屈折されるなど、配線部１３０を極度に湾曲させなければならない場合であっても、当該湾曲により配線部１３０に生じた応力を分散させることができるので、応力に基づく配線部１３０の損傷を防止することができる。特に、本実施形態においては、スリットＳまたは溝Ｇを配線部１３０の各導線１３１が形成されている部分以外のフレキシブル基板１１０上に形成すれば、各導線１３１に対して影響を与えずに湾曲によって生ずる応力を分散することができる。
【００５１】
＜変形例＞
なお、本実施形態は、スリットＳまたは溝Ｇが形成された配線部１３０を有するディスプレイ装置１００について説明したが、パッシブアレイ、アクティブアレイ、センサ（圧力センサ、温度センサ、光加速度センサ、歪センサ、磁気センサ、湿度センサまたは電圧センサ）アレイなどのマトリックス状に電極が並んだパターン、すなわち、電極パターン全般に適用することができる。
【００５２】
また、本実施形態のディスプレイ装置１００において、配線部１３０は、複数の導線１３１によって形成されているが、単一の導線１０１によって形成されていてもよい。
【符号の説明】
【００５３】
Ｓ  …  スリット
Ｇ  …  溝
１００  …  ディスプレイ装置
１１０  …  フレキシブル基板
１２０  …  ディスプレイユニット
１３０  …  配線部
１３１  …  導線
１４０  …  接続端子
【図１】
0005516048.tif 000002
【図２】
0005516048.tif 000003
【図３】
0005516048.tif 000004
【図４】
0005516048.tif 000005